(57)【要約】      （修正有）【課題】カチオン性界面活性剤を含有し、殺菌効果を有する衣料用液体洗浄剤組成物の提供。【解決手段】（Ａ）Ａ−１及びＡ−２からなる群から選ばれる少なくとも１種のアミン化合物：（Ａ−１）:2013221092.tif 000008（式中、Ｒ１１はＣ８〜２２アルキル基又はアルケニル基であり、ＡＯは炭素数２〜３のアルキレンオキサイド基であり、ｐ及びqはそれぞれＡＯの平均付加モル数を示し、０より大きい数であり、ｐ＋ｑ＝２〜９である。）（Ａ−２）:式Ｒ１２−ＮＨ−Ｒ１３−ＮＨ２（式中、Ｒ１２はＣ８〜２２アルキル基又はアルケニル基であり、Ｒ１３はＣ１〜４アルキル基である）（Ｂ）４級アンモニウム塩型カチオン性界面活性剤、及び（Ｃ）（Ａ）成分以外の非イオン性界面活性剤を含有し、（Ａ）／（Ｃ）＝３／９７〜２０／８０（質量比）である衣料用液体洗浄剤組成物。【選択図】なし【特許請求の範囲】
【請求項１】
（Ａ）（Ａ−１）及び（Ａ−２）からなる群から選ばれる少なくとも１種のアミン化合物：
（Ａ−１）下記式（１）で表されるポリオキシアルキレンアミン
2013221092.tif 000007
（式中、Ｒ11は炭素数８〜２２のアルキル基又はアルケニル基であり、ＡＯは炭素数２〜３のアルキレンオキサイド基であり、ｐ及びqはそれぞれＡＯの平均付加モル数を示し、０より大きい数であり、ｐ＋ｑ＝２〜９である。）
（Ａ−２）下記式（２）で表されるアルキルアミノアルキルアミン
Ｒ12−ＮＨ−Ｒ13−ＮＨ2              （２）
（式中、Ｒ12は炭素数８〜２２のアルキル基又はアルケニル基であり、Ｒ13は炭素数１〜４のアルキル基である。）
（Ｂ）４級アンモニウム塩型カチオン性界面活性剤、及び
（Ｃ）（Ａ）成分以外の非イオン性界面活性剤
を含有し、
（Ａ）成分と（Ｃ）成分との質量比（Ａ）／（Ｃ）＝３／９７〜２０／８０である
ことを特徴とする衣料用液体洗浄剤組成物。
【請求項２】
（Ａ）成分が、ポリオキシエチレン（５）ヤシアルキルアミン、ポリオキシエチレン（７）ドデシルアミン、ポリオキシエチレン（５）牛脂アルキルアミン、ポリオキシエチレン（４）オクタデシルアミン、ポリオキシエチレン（７）オクタデシルアミン、Ｎ−ヤシアルキル−１，３−ジアミノプロパン及びＮ−牛脂アルキル−１，３−ジアミノプロパンからなる群から選ばれる請求項１記載の衣料用液体洗浄剤組成物。
【請求項３】
（Ａ）成分の配合量が１〜１０質量％である請求項１又は２記載の衣料用液体洗浄剤組成物。
【請求項４】
（Ｃ）成分が、下記式（５）で表される非イオン性界面活性剤である請求項１〜３のいずれか１項記載の衣料用液体洗浄剤組成物。
Ｒ1−Ｘ−（ＡＯ）ｎ−Ｒ2      （５）
（式中、−Ｘ−が−Ｏ−のとき、Ｒ1は炭素数１０〜２２のアルキル基またはアルケニル基であり、Ｒ2は水素原子である。−Ｘ−が−ＣＯＯ−のとき、Ｒ1は炭素数９〜２１のアルキル基またはアルケニル基であり、Ｒ2は炭素数１〜３のアルキル基である。ＡＯは、炭素数２〜３のアルキレンオキサイドであり、ｎはＡＯの平均付加モル数を示し、５〜２０の数である。）
【請求項５】
（Ｃ）成分の配合量が１０〜６０質量％である請求項１〜４のいずれか１項記載の衣料用液体洗浄剤組成物。
【請求項６】
（Ｂ）成分の配合量が１〜１０質量％である請求項１〜５のいずれか１項記載の衣料用液体洗浄剤組成物。
【発明の詳細な説明】
【技術分野】
【０００１】
本発明は、衣料用液体洗浄剤組成物に関する。
【背景技術】
【０００２】
カチオン性界面活性剤が殺菌効果を示すことは一般的に知られている。しかし、衣料用液体洗浄剤組成物の成分として配合すると、洗浄力主成分がアニオン界面活性剤の場合（特許文献１）、コンプレックスを形成してしまい殺菌効果を発揮できない。洗浄力主成分が非イオン性界面活性剤の場合（特許文献２〜４）、カチオン性界面活性剤が持つ高い殺菌効果を発揮させることができなかった。
【先行技術文献】
【特許文献】
【０００３】
【特許文献１】特開２００２−１２９１９９号公報
【特許文献２】特開２００７−１７７１３０号公報
【特許文献３】特開２００５−１７１１９５号公報
【特許文献４】特開２００４−２７１８１号公報
【特許文献５】特開２００４−１０６８０号公報
【発明の概要】
【発明が解決しようとする課題】
【０００４】
従って、本発明は、カチオン性界面活性剤を含有し、殺菌効果を有する衣料用液体洗浄剤組成物を提供することを目的とする。
【課題を解決するための手段】
【０００５】
本発明者らは、非イオン性界面活性剤を用いた液体衣料用洗剤の洗浄条件で、カチオン性界面活性剤の殺菌効果が低下してしまうのは、殺菌効果を示すカチオン性界面活性剤が非イオン性界面活性剤のミセルに取り込まれてしまい、カチオン性界面活性剤の殺菌効果を発現するドライビングフォースである極性基が細菌の表面に接触できなくなるためと考えた。
この仮説に基づいて鋭意検討した結果、特定のアミン化合物をカチオン性界面活性剤と共存させると、多量の非イオン性界面活性剤存在下でもカチオン性界面活性剤の殺菌効果が発現できるようになることを見出した。
すなわち、本発明により、（Ａ）（Ａ−１）及び（Ａ−２）からなる群から選ばれる少なくとも１種のアミン化合物：
（Ａ−１）下記式（１）で表されるポリオキシアルキレンアミン
【０００６】
【化１】
2013221092.tif 000002
【０００７】
（式中、Ｒ11は炭素数８〜２２のアルキル基又はアルケニル基であり、ＡＯは炭素数２〜３のアルキレンオキサイド基であり、ｐ及びqはそれぞれＡＯの平均付加モル数を示し、０より大きい数であり、ｐ＋ｑ＝２〜９である。）
（Ａ−２）下記式（２）で表されるアルキルアミノアルキルアミン
Ｒ12−ＮＨ−Ｒ13−ＮＨ2              （２）
（式中、Ｒ12は炭素数８〜２２のアルキル基又はアルケニル基であり、Ｒ13は炭素数１〜４のアルキル基である。）
（Ｂ）４級アンモニウム塩型カチオン性界面活性剤、及び
（Ｃ）（Ａ）成分以外の非イオン性界面活性剤
を含有し、
（Ａ）成分と（Ｃ）成分との質量比（Ａ）／（Ｃ）＝３／９７〜２０／８０であることを特徴とする衣料用液体洗浄剤組成物を提供する。
【発明の効果】
【０００８】
本発明によれば、カチオン性界面活性剤を含有し、殺菌効果を有する衣料用液体洗浄剤組成物を提供することができる。
【発明を実施するための形態】
【０００９】
〔アミン化合物（Ａ）〕
本発明において、（Ａ）成分は殺菌効果を高める機能を担う成分であり、（Ａ）成分を含有することにより、（Ｂ）成分の殺菌力が向上する。本発明で用いられる（Ａ）成分は、下記一般式（１）及び（２）で表される。
【００１０】
【化２】
2013221092.tif 000003
【００１１】
Ｒ11は、炭素数８〜２２、好ましくは炭素数８〜１８の直鎖もしくは分岐鎖状のアルキル基またはアルケニル基である。
（ＡＯ）で表されるアルキレンオキサイドは、エチレンオキサイド（ＥＯ）又はプロピレンオキサイド（ＰＯ）であり、それぞれ単独であっても混合して付加されていてもよく、さらにＥＯ基とＰＯ基がブロックとして付加されていてもよい。ＥＯが好ましい。ｐ、ｑは、それぞれアルキレンオキサイドの平均付加モル数を示し、正数であり、ｐ＋ｑは、２〜９、好ましくは２〜７である。
【００１２】
（Ａ−２）      Ｒ12−ＮＨ−Ｒ13−ＮＨ2  （２）
Ｒ12は、炭素数８〜２２、好ましくは炭素数８〜１８の直鎖もしくは分岐鎖状のアルキル基またはアルケニル基である。Ｒ13は、炭素数１〜４、好ましくは炭素数２〜４のアルキレン基である。
【００１３】
（Ａ−１）成分の好ましい具体例としては、
・ポリオキシエチレン（５）ヤシアルキルアミン（例えば、ライオン・アクゾ株式会社製、「エソミンＣ／１５」）、
・ポリオキシエチレン（７）ドデシルアミン（例えば、日油株式会社製、「ナイミーンＬ−２０７」、青木油脂工業株式会社製、「ブラウノンＬ−２０７」）、
・ポリオキシエチレン（５）牛脂アルキルアミン（例えば、ライオン・アクゾ株式会社製、「エソミンＴ／１５」）、
・ポリオキシエチレン（４）オクタデシルアミン（例えば、日油株式会社製、「ナイミーンＳ−２０４」）、
・ポリオキシエチレン（７）オクタデシルアミン（例えば、青木油脂工業株式会社製、「ブラウノンＳ−２０７」）があげられる。
（Ａ−２）成分の好ましい具体例としては、
・Ｎ−ヤシアルキル−１，３−ジアミノプロパン（例えば、ライオン・アクゾ株式会社製、「デュオミンＣＤ」）、
・Ｎ−牛脂アルキル−１，３−ジアミノプロパン（例えば、ライオン・アクゾ株式会社製、「デュオミンＴ」）が挙げられる。
より好ましくは、ポリオキシエチレン（５）ヤシアルキルアミン、ポリオキシエチレン（７）ドデシルアミン、Ｎ−ヤシアルキル−１，３−ジアミノプロパンである。
【００１４】
（Ａ）成分は、（Ａ−１）及び（Ａ−２）からなる群から選ばれる少なくとも一種の化合物である。単独で用いることもできるし、２種以上を混合して用いることもできる。
（Ａ）成分の配合量は、組成物の全量を基準として、好ましくは１〜１０質量％、より好ましくは３〜８質量％である。１質量％以上にすることにより、（Ｂ）成分の殺菌力が向上する。１０質量％以下にすることにより、組成物の保存安定性が向上する。
如何なる理論にも拘束されるものではないが、上記特定のアミン化合物は、４級アンモニウム型カチオン性界面活性剤よりも一層選択的に（Ｃ）非イオン性界面活性剤のミセルに取り込まれることで、同じくミセルに取り込まれた前記カチオン性界面活性剤の極性基がミセル表面に露出しやすくなり、細菌の表面に接触できるようになったのではないかと推察しているが、詳細な機作は不明である。
【００１５】
〔４級アンモニウム塩型カチオン性界面活性剤（Ｂ）〕
本発明において、（Ｂ）成分は殺菌機能を担う成分であり、（Ａ）成分存在下、（Ｂ）成分を含ませることにより、非イオン界面活性剤と共存していても殺菌効果が発現する。本発明で用いられる（Ｂ）成分としては、特に限定されるものではなく、中でも下記一般式（３）又は（４）で表される４級アンモニウム塩型カチオン性界面活性剤が好適なものとして挙げられる。
【００１６】
【化３】
2013221092.tif 000004
【００１７】
式中、Ｒ3、Ｒ4、Ｒ5、Ｒ6のうちの２つ又は３つは炭素数１〜３のアルキル基またはヒドロキシアルキル基、好ましくは炭素数１のアルキル基であり、それ以外は炭素数８〜２２、好ましくは炭素数８〜１８の直鎖もしくは分岐鎖状のアルキル基またはアルケニル基である。Ｚ-は、ハロゲンイオン（例えばＣｌ-）またはアルキル硫酸イオン（例えばメチル硫酸イオン）である。
【００１８】
【化４】
2013221092.tif 000005
【００１９】
Ｒ7、Ｒ8は、炭素数１〜３のアルキル基またはヒドロキシアルキル基である。Ｒ9は、炭素数８〜２２、好ましくは炭素数８〜１８の直鎖もしくは分岐鎖状のアルキル基またはアルケニル基である。Ｒ10は、炭素数１〜３のアルキレン基である。Ｚ-は、ハロゲンイオン（例えばＣｌ-）またはアルキル硫酸イオン（例えばメチル硫酸イオン）である。
【００２０】
（Ｂ）成分の好ましい具体例としては、塩化テトラデシルトリメチルアンモニウム、塩化ヘキサデシルトリメチルアンモニウム（例えば、ライオン・アクゾ株式会社製、「アーカード１６−５０」）、塩化オクタデシルトリメチルアンモニウム（例えば、ライオン・アクゾ株式会社製、「アーカードＴ−８００」）、塩化ヤシアルキルジ（ヒドロキシエチル）メチルアンモニウム（例えば、ライオン・アクゾ株式会社製、「エソカードＣ／１２」）、塩化ジデシルジメチルアンモニウム（例えば、ライオン・アクゾ株式会社製、「アーカード２１０−８０Ｅ」）、塩化ジヤシアルキルジメチルアンモニウム（例えば、ライオン・アクゾ株式会社製、「アーカード２Ｃ−７５」）、塩化ベンザルコニウム（例えば、ライオン・アクゾ株式会社製、「アーカードＣＢ−５０」）が挙げられる。
より好ましくは、塩化テトラデシルトリメチルアンモニウム、塩化ヘキサデシルトリメチルアンモニウム、塩化ジデシルジメチルアンモニウム、塩化ベンザルコニウムである。
（Ｂ）成分は、１種を単独で用いることもできるし、２種以上を混合して用いることもできる。
（Ｂ）成分の配合量は、組成物の全量を基準として、好ましくは１〜１０質量％、より好ましくは３〜８質量％である。１質量％以上にすることにより、良好な殺菌効果が発現する。１０質量％以下にすることにより、組成物の保存安定性が向上する。
【００２１】
〔非イオン性界面活性剤（Ｃ）〕
本発明において、（Ｃ）成分は衣料用液体洗剤の主要成分であり、主として洗浄力に寄与する成分である。本発明で用いられる（Ｃ）成分としては、（Ａ）成分以外であれば特に限定されるものではなく、例えば、ポリオキシエチレンアルキルエーテル、ポリオキシエチレン脂肪酸エステル、ポリオキシエチレンソルビタン脂肪酸エステル、ポリグリセリン脂肪酸エステル、ショ糖脂肪酸エステル、ポリオキシエチレンポリオキシプロピレングリコール、アルキルポリグルコシド、アルキルジメチルアミンオキシド等が挙げられる。
中でも、下記一般式（５）で表されるポリオキシアルキレン型非イオン性界面活性剤が好適なものとして挙げられる。
Ｒ1−Ｘ−（ＡＯ）n−Ｒ2            （５）
式中、Ｒ1は直鎖もしくは分岐鎖状のアルキル基またはアルケニル基であり、−Ｘ−は−Ｏ−または−ＣＯＯ−である。−Ｘ−が−Ｏ−のとき、Ｒ1の炭素数は１０〜２２であり、かつＲ2は水素原子であり、−Ｘ−が−ＣＯＯ−のとき、Ｒ1の炭素数は９〜２１であり、かつＲ2は炭素数１〜３のアルキル基である。（ＡＯ）で表されるアルキレンオキサイドは、エチレンオキサイド（ＥＯ）又はプロピレンオキサイド（ＰＯ）であり、それぞれ単独であっても混合して付加されていてもよく、さらにＥＯ基とＰＯ基がブロックとして付加されていてもよい。ｎはアルキレンオキサイドの平均付加モル数を示し、５〜２０の数である。
【００２２】
前記一般式（５）中、−Ｘ−が−Ｏ−のときは、（Ｃ）成分はアルコールアルコキシレートである。Ｒ1は、炭素数１０〜２２、好ましくは１０〜２０、より好ましくは１０〜１６の直鎖もしくは分岐鎖状のアルキル基またはアルケニル基である。
−Ｘ−が−ＣＯＯ−のときは、（Ｃ）成分は脂肪酸エステル型非イオン性界面活性剤である。Ｒ1は、炭素数９〜２１、好ましくは１１〜２１の直鎖もしくは分岐鎖状のアルキル基またはアルケニル基である。
（ＡＯ）は、ＥＯとＰＯを混合付加する場合には、ＥＯ基の総量が、全アルキレンオキサイド基中、質量比で６０質量％以上であることが好ましい。
ｎは５〜２０であることが好ましく、より好ましくは６〜１８である。ｎが２０以下であることにより洗浄力が向上し、ｎが５以上であることにより液体洗浄剤組成物の高温安定性が向上する。
【００２３】
（Ｃ）成分の好ましい具体例としては、Ｃ11Ｈ23ＣＯＯ（ＣＨ2ＣＨ2Ｏ）mＣＨ3とＣ13Ｈ27ＣＯＯ（ＣＨ2ＣＨ2Ｏ）mＣＨ3との質量比で８／２の混合物（ｍ＝平均１５）、Ｃ11Ｈ23ＣＯＯ（ＣＨ2ＣＨ2Ｏ）mＣＨ3（ｍ＝平均１５）、Ｃ11Ｈ23ＣＯＯ（ＣＨ2ＣＨ2Ｏ）mＣＨ3（ｍ＝平均９）、ポリオキシエチレン（１５）ラウリルエーテル（例えば、日本エマルジョン株式会社製、「ＥＭＡＬＥＸ７１５」）、ポリオキシエチレン（９）ラウリルエーテル（例えば、日本エマルジョン株式会社製、「ＥＭＡＬＥＸ７０９」）が挙げられる。
より好ましくは、Ｃ11Ｈ23ＣＯＯ（ＣＨ2ＣＨ2Ｏ）mＣＨ3とＣ13Ｈ27ＣＯＯ（ＣＨ2ＣＨ2Ｏ）mＣＨ3との質量比で８／２の混合物（ｍ＝平均１５）、ポリオキシエチレン（１５）ラウリルエーテルである。
（Ｃ）成分は、１種を単独で用いることもできるし、２種以上を混合して用いることもできる。
（Ｃ）成分の配合量は、組成物の全量を基準として、好ましくは１０〜６０質量％、より好ましくは２０〜５０質量％である。１０質量％以上にすることにより、十分な洗浄力が得られる。６０質量％以下にすることにより、組成物の保存安定性が向上する。
【００２４】
〔（Ｂ）成分と（Ｃ）成分との配合比率（質量比）〕
（Ｂ）成分と（Ｃ）成分との配合比率（質量比）は、（Ｂ）／（Ｃ）＝７／９３〜２０／８０であるのが好ましい。７／９３以上にすることにより、良好な殺菌効果が発現する。２０／８０以下にすることにより、組成物の保存安定性向上する。より好ましくは、（Ｂ）／（Ｃ）＝１０／９０〜１７／８３である。
【００２５】
〔（Ａ）成分と（Ｃ）成分との配合比率（質量比）〕
（Ａ）成分と（Ｃ）成分との配合比率（質量比）は、（Ａ）／（Ｃ）＝３／９７〜２０／８０である。３／９７以上にすることにより、良好な殺菌効果が発現する。２０／８０以下にすることにより、組成物の保存安定性が向上する。好ましくは、（A）／（Ｃ）＝１０／９０〜１７／８３である。
【００２６】
本発明の組成物は、衣料用洗浄剤組成物に通常含まれている成分を更に含むことができる。例えば、リパーゼ、セルラーゼ等の酵素；水酸化ナトリウム、水酸化カリウム等のｐＨ調整剤；防腐剤、香料、色素があげられる。
本発明の組成物は、ウール、シルク、アクリル、ポリエステル素材や、綿素材にも適用でき、オシャレ着の洗濯にも普段着の洗濯にも用いることができる。
【実施例】
【００２７】
１．洗浄剤組成物の調製方法：
表１〜表２に示す組成に従って、全量が１００ｇとなるように、２００ｍＬビーカーに（Ａ）成分、（Ｃ）成分を入れ、マグネチックスターラーで十分に撹拌した。続いて、任意成分のエタノール、精製水を加えて十分に撹拌した後、さらに（Ｂ）成分を加えて十分に撹拌し、洗浄剤組成物を得た。
【００２８】
２．殺菌力の評価：
綿布に付着した大腸菌に対する殺菌力を評価するための殺菌試験を、実際の洗濯を想定し、Journal of the Association of Official Analytical Chemists 52;836-842に記載されているA.N.Petrocciらの方法に準拠して実施した。以下にその具体的な手順を示した。
（１）綿布の前処理
殺菌試験に供する綿布として、かなきん３号（ＪＩＳ  Ｌ０８０３準拠）を用い、試験前に以下に示す方法で前処理を行った。
ポリソルベート８０及び炭酸ナトリウム各５ｇを水に溶解し、希釈して１０００ｍｌとしたものを湿潤剤とした。湿潤剤２．５ｇ及び炭酸ナトリウム２．５ｇを水に溶解して５Ｌの洗浄液を調製した。そこに綿布を入れ約１時間煮沸した後、蒸留水に換えて約５分間煮沸した。さらに、５Ｌの冷蒸留水で約５分間攪拌し、風乾した。
（２）試験布の裁断
前処理を行った綿布を裁断し、２．５ｃｍ×３．７５ｃｍの綿布と５．３ｃｍ×２７５ｃｍの綿布とを作成した。
５．３ｃｍ×２７５ｃｍの綿布はJournal of the Association of Official Analytical Chemists 52;837に記載のステンレス製スピンドルに巻きつけて、試験液と綿布との量比を実洗濯に近づけるための負荷布とした。
２．５ｃｍ×３．７５ｃｍの綿布は、以下に示す方法で菌液を付着させて試験布とした。
なお、これ以降の操作は、すべて１２１℃、１０分間の滅菌処理を行った布、水、器具等を用いて実施した。
【００２９】
（３）大腸菌液の添加
滅菌処理を行った試験布を乾熱滅菌機にて１１０℃、１時間保持して乾燥した後、水１０μＬを試験布上に添加した。続けて、生菌数が５．０×１０8〜５．０×１０9ｃｆｕ／ｍＬとなるように調整した大腸菌液１．９ｍＬと、馬血清（ｉｎｖｉｔｒｏｇｅｎ社製）０．１ｍＬとの混合液を調製し、該混合液の２０μＬを前記試験布上に添加した。
このようにして調製した試験布３枚を、ろ紙を敷いたシャーレに入れ、３５℃恒温槽内のリン酸水素二ナトリウム飽和水溶液を入れた密閉容器内で４０分間保持した後、菌液を添加した試験布３枚を、スピンドルに巻きつけた負荷布の間に挿入した。
（４）洗浄剤組成物水溶液（処理液）の調製
塩化カルシウム・二水和物５９．０３ｇおよび塩化マグネシウム六水和物２７．２１ｇを精製水に溶解して１０００ｍＬとして３０００°ＤＨの硬水とした。ガラス容器に、３０００°ＤＨの硬水０．２５ｍＬ、および洗浄剤組成物を入れ、全量が２５０ｇとなるように水を加えて、洗浄剤組成物の濃度を３３３ｐｐｍとしたものを洗浄剤組成物水溶液とした。
【００３０】
（５）殺菌試験
調製した洗浄剤組成物水溶液を入れたガラス容器中に、試験布を挿入した負荷布を浸漬し、ガラス容器に蓋をして回転装置（マツシタ工業製）に装着して６０回転／分の速度で１０分間回転させた。
試験終了後、ピンセットで試験布３枚を取り出し、滅菌処理したビニール袋に入れ、ＳＣＤＬＰ培地（日本製薬製Soybean-Casein Digest Broth with Lectin & Polysorbate 80）３０ｍＬを加え、試験布に付着させた試験菌を抽出機で１分間洗い出した。その抽出液を１ｍＬ採取し、９ｍＬの生理食塩水に加え、１０倍希釈液とした。希釈液をさらに１０倍希釈する操作をあと２回繰り返して、１００倍、１０００倍希釈液を得た。
各希釈液１ｍＬを４８℃のトリプトソイ寒天培地（ディフコ社）と混合して３７℃で４８時間、混釈培養した。生育したコロニー数を数え、次の式より殺菌効果（Δｌｏｇ）を求めた。
（６）殺菌力評価
対照試料として、洗浄剤組成物水溶液の代わりに、ポリソルベート８０の５００ｐｐｍ水溶液を用いた以外は前記殺菌試験と同様に試験して生菌数を求めた。次の式より殺菌力（Δｌｏｇ）を求めた。殺菌力（Δｌｏｇ）１．０以上を合格とする。結果を表１及び表２に示す。
殺菌力（Δｌｏｇ）＝対照試料を用いた場合の生菌数の対数値
−洗浄剤組成物を用いた場合の生菌数の対数値
【００３１】
３．洗浄力の評価：
塩化カルシウム・二水和物５９．０３ｇおよび塩化マグネシウム六水和物２７．２１ｇを精製水に溶解して１０００ｍＬとして３０００°ＤＨの硬水とした。３０００°ＤＨの硬水０．９ｍＬ、および上で調製した洗浄剤組成物０．３ｍＬを２５℃の水に添加して９００ｍＬとし、洗浄液を調製した。
各洗浄液をターゴトメータ（Ｔｅｒｇ−Ｏ−Ｔｏｍｅｔｅｒ）に入れ、洗濯科学協会の人工汚垢布１０枚およびチャージ布として裁断した綿メリヤス布を合わせて３０ｇ入れ、２５℃、１０分、１２０ｐｍで洗浄した。その後、３０Ｌの水道水で布を２回すすぎ、人工汚垢布を乾燥させた。
人工汚垢布の反射率Ｚ値は分光式色差計（日本電色工業社、ＳＥ２０００）にて求めた。洗浄力（％）は下記式より求めた。洗浄力（％）＝５０以上を合格とする。結果を表１及び表２に示す。
洗浄率(％)＝｛(汚垢布のZ値−洗浄布のZ値)／(汚垢布のZ値−未汚垢布のZ値)｝×100
【００３２】
実施例及び比較例の洗浄剤組成物を調製するのに使用した成分を以下に示す。
１．Ａ成分
（１）Ａ−１
ａ−１：ポリオキシエチレン（５）ヤシアルキルアミン、ライオン・アクゾ株式会社製、「エソミンＣ／１５」
ａ−２：ポリオキシエチレン（７）ドデシルアミン、日油株式会社製、「ナイミーンＬ−２０７」
ａ−３：  ポリオキシエチレン（２）ヤシアルキルアミン、ライオン・アクゾ株式会社製、「エソミンＣ／１２」
ａ−４：ポリオキシプロピレン（２）ポリオキシエチレン（２）ヤシアルキルアミン、略称：ＰＯ（２）ＥＯ（２）アルキルアミン、合成品
合成法：４Ｌオートクレーブに、ポリオキシエチレン（２）ヤシアルキルアミン（ライオン・アクゾ株式会社製、「エソミンＣ／１２」）５７５．０ｇと、水酸化ナトリウム４０％水溶液４．０ｇを仕込み、系内を窒素で置換し、加温減圧により脱水を行った。１４０℃まで昇温した後、酸化プロピレン２３２．３ｇを少量ずつ導入して反応させた後、１６０℃で１時間熟成させた。１００℃で減圧により残存酸化プロピレンを除去した後、冷却して生成物を取り出し、酢酸で中和処理を行い、（ａ−３）を得た。
【００３３】
（２）Ａ−２
ａ−５：Ｎ−ヤシアルキル−１，３−ジアミノプロパン、ライオン・アクゾ株式会社製、「デュオミンＣＤ」。
（３）比較品
ａ−６（比較品）：ポリオキシエチレン（１５）ヤシアルキルアミン、ライオン・アクゾ株式会社製、「エソミンＣ／２５」
ａ−７（比較品）：ジメチルドデシルアミン、ライオン・アクゾ株式会社製、「アーミンＤＭ１２Ｄ」
ａ−８（比較品）：ポリオキシエチレン（１５）Ｎ−牛脂アルキル−１，３−ジアミノプロパン、ライオン・アクゾ株式会社製、「エソデュオミンＴ／２５」
ａ−９（比較品）：Ｎ，Ｎ−ジメチル−１，３−プロパンジアミン、東京化成工業株式会社製、試薬
【００３４】
２．Ｂ成分
ｂ−１：塩化テトラデシルトリメチルアンモニウム、和光純薬工業株式会社製、試薬
ｂ−２：塩化ヘキサデシルトリメチルアンモニウム、ライオン・アクゾ株式会社製、「アーカード１６−５０」、純分５０％
ｂ−３：塩化ジデシルジメチルアンモニウム、ライオン・アクゾ株式会社製、「アーカード２１０−８０Ｅ」、純分８０％
ｂ−４：塩化ヤシアルキルベンジルジメチルアンモニウム（塩化ベンザルコニウム）、ライオン・アクゾ株式会社製、「アーカードＣＢ−５０」、純分５０％
【００３５】
３．Ｃ成分
ｃ−１：ＭＥＥ（Ｃ１２４ＥＯ１５）
Ｃ11Ｈ23ＣＯＯ（ＣＨ2ＣＨ2Ｏ）mＣＨ3とＣ13Ｈ27ＣＯＯ（ＣＨ2ＣＨ2Ｏ）mＣＨ3との質量比で８／２の混合物、ｍ＝平均１５、合成品
特開２０００−１４４１７９号公報に記載の実施例における製造例１に準じて合成した。すなわち、化学組成が２．５ＭｇＯ・Ａｌ2Ｏ3・ｎＨ2Ｏである水酸化アルミナ・マグネシウム（協和化学工業（株）製、商品名：キョーワード３００）を、６００℃で１時間、窒素雰囲気下で焼成して得られた焼成水酸化アルミナ・マグネシウム（未改質）触媒２．２ｇと、０．５規定の水酸化カリウムエタノール溶液２．９ｍＬと、ラウリン酸メチルエステル２８０ｇ及びミリスチン酸メチルエステル７０ｇとを４Ｌオートクレーブに仕込み、オートクレーブ内で触媒の改質を行った。次いで、オートクレーブ内を窒素で置換した後、昇温を行い、温度を１８０℃、圧力を３ａｔｍに維持しつつ、酸化エチレン１０５２ｇを導入し、撹拌しながら反応させた。さらに、反応液を８０℃に冷却し、水１５９ｇと、濾過助剤として活性白土及び珪藻土をそれぞれ５ｇ添加した後、触媒を濾別して、（ｃ−１）を得た。
【００３６】
ｃ−２：  ＭＥＥ（Ｃ１２ＥＯ１５）
Ｃ11Ｈ23ＣＯＯ（ＣＨ2ＣＨ2Ｏ）mＣＨ3、ｍ＝平均１５、合成品。
ラウリン酸メチルエステル２８０ｇ及びミリスチン酸メチルエステル７０ｇの代わりに、ラウリン酸メチルエステル３５０ｇを用い、酸化エチレン１０７９ｇを導入した以外は、上記（ａ−１）の合成方法と同様にして（ａ−２）を得た。
【００３７】
ｃ−３：ＡＥ（Ｃ１２ＥＯ１５）、ポリオキシエチレン（１５）ラウリルエーテル（日本エマルジョン株式会社製、「ＥＭＡＬＥＸ  ７１５」）
ｃ−４：ＡＥ（Ｃ１２ＥＯ９）、ポリオキシエチレン（９）ラウリルエーテル（日本エマルジョン株式会社製、「ＥＭＡＬＥＸ  ７０９」）
ｃ−５：ポリソルベート８０、ポリオキシエチレン（２０）ソルビタンモノオレアート（日本エマルジョン株式会社製、「ＥＭＡＬＥＸ  ＥＴ−８０２０」）
【００３８】
【表１】
2013221092.tif 000006